(57)【要約】      （修正有）【課題】電子部品配置により冷却効率のよい放熱構造を備えた電子機器を提供する。【解決手段】電子機器１２内部で発生した熱を効率良く外へ放熱することにより電子機器１２を冷却する冷却ファン１と、冷却ファン１の能力を発揮し、且つ電子機器１２の薄型化を図るための電子機器１２内発熱部品の配置を工夫することによる熱の放熱を図ると共に、電子機器１２の一部品であるチューナ５ａ、５ｂ、５ｃ筐体を用いて前記冷却ファン１に向かう空気の流路を形成し放熱を図る。【選択図】図１
2006085399.tif 000002
【特許請求の範囲】
【請求項１】
情報及び映像デ−タを記録するＨＤＤとＤＶＤドライブを有する電子機器において、
電子機器に実装される各電子部品を駆動させる為の電源部、電子機器の筐体に内蔵されるチューナと電子機器を冷却する冷却ファンが配置され、
前記電子部品の一部品であるチューナの筐体を用いて、前記冷却ファンに向かう空気の流路が形成されることを特徴とする電子機器。
【請求項２】
情報及び映像デ−タを記録するＨＤＤとＤＶＤドライブを有する電子機器において、
電子機器の筐体の前面側の中央にＤＶＤドライブが配置され、
ＤＶＤドライブの左側または右側にＨＤＤが配置され、
電子機器の筐体内部で前記ＨＤＤの奥側または下側に電子機器に実装される各電子部品を駆動させる為の電源部が配置され、
前記電源部の奥側に電子機器を冷却する冷却ファンが配置され、
ＤＶＤドライブよりも奥側で電子機器の筐体に内蔵されるチューナの筐体とを用いて、前記冷却ファンに向かう空気の流路が形成されることを特徴とする電子機器。
【請求項３】
請求項1または２に記載の電子機器において、
ＤＶＤドライブとチューナ筐体との間に隙間を有することにより、前記冷却ファンに向かう空気の流路が形成されることを特徴とする電子機器。
【請求項４】
請求項1乃至３に記載の電子機器において、
前記電子機器は２個以上のチューナを有し、少なくとも1個のチューナは前記冷却ファンとは逆側の電子機器の筐体内で側面側に配置され、自然冷却によっても冷却されることを特徴とする電子機器。
【請求項５】
請求項1乃至３に記載の電子機器において、
前記電子機器は、さらにＢ-ＣＡＳカードを配置するデジタル基板が電子機器の筐体内でＤＶＤドライブを介してＨＤＤとは相対する位置に配置され、前記デジタル基板とＨＤＤとの間の信号をやり取りするＡＴＡケーブルは信号線間にグランド線を配置されたことを特徴とする電子機器。
【発明の詳細な説明】
【技術分野】
【０００１】
本発明は内部に発熱部品を有しこれを冷却するための冷却用ファンを搭載した電子機器に関する。
【背景技術】
【０００２】
近年ノートパソコンやＤＶＤレコーダ−に代表される電子機器は内部に発熱する電子部品を有しており、容量アップや機能アップなどの高性能化に伴い筐体内部が高温化してくる傾向にある。大容量化に反して薄型化も進められ、電子機器の薄型化に対しては、内部の空間が少ないために自然空冷での冷却は難しいばかりでなく、ただ単に冷却ファンやヒートシンクなどを用いても十分に冷却できなくなる場合がある。また、冷却ファンの回転数をアップすることで冷却するための風量アップを行うとセット全体の騒音がうるさく顧客要求を満足できなくなる。
【０００３】
また、ハードディスク（ＨＤＤ）のほかにＤＶＤレコーダーやＶＴＲなど個々の記録の他にＨＤＤからのダビング等を目的とした電子部品を搭載する電子機器ではすべての発熱部品を仕様内まで冷却することが難しくなってきている。
【０００４】
また、特許文献１に示すようにＣＰＵの発生熱が大きくなるに従い、排気能力を高めるために冷却ファンの大きさやヒートシンクなどの放熱部品の大きさが増大するために、電子機器の軽量化や薄型化が困難になる対策として、冷却ファンに通じる筐体のリブ、構造材、構成部品で仕切られた空間を冷却ファンに向かう空気の流路とすることにより、前記空間内に配置された基板上に配置された複数の電気部品を空気の流れに抵抗の少ない方向に配列し、冷却ファンへの流入風速を大きくする冷却対象発生部品の温度上昇を抑えるものがある。しかしながらＣＤ-ＲＯＭやＨＤＤの冷却に関しては考慮されてなかった。
【０００５】
近年ノートパソコンやＤＶＤレコーダーに代表される電子機器は容量アップや機能アップなどの高性能化に伴いＤＶＤドライブやＨＤＤといった記録装置自体の温度上昇が大きく、単に基板上に配置された複数の電気部品などの冷却では不十分になってきた。また、回路部品も高速化や多機能化のために発熱量が増大し、地上波デジタル放送に代表されるデジタル化によって回路部品に加えてチューナ数の増大やチューナそのものの発熱量増大を引き起こしてきた。
【０００６】
そこで図３の（ａ）から（ｅ）に示すように冷却効果を高める工夫がされるようになってきた。
【０００７】
しかしながら図３（ｂ）に示すように電源部4を冷却ファン1の前に配置した場合でもＤＶＤドライブ３、ＨＤＤ２及びチューナ５といった電子部品を配置した場合冷却ファン1から一番遠いＤＶＤドライブ３は十分なる冷却ができない。また、図３（ａ）（ｃ）（ｄ）（e）のように仕切り板１１を用いた場合、冷却ファン1の前にある電子部品は冷却されるものの、仕切り板１１によって仕切られた外にある電子部品は十分に冷却できない。
【０００８】
たとえば図３の（ａ）（ｄ）は冷却ファン１の前に電源部４とＨＤＤ２を配置し、仕切り板１１を用いて冷却効果を高めているが、ＤＶＤドライブ３は仕切り板１１により仕切られているために冷却ファン1により十分に冷却されない。
【０００９】
また、図３（ｃ）（ｅ）は冷却ファン１からもっとも熱的に厳しいＨＤＤ２が遠い位置にあり、冷却しにくい配置になっている。
【００１０】
【特許文献１】特開平１１−５３０６１号公報
【発明の開示】
【発明が解決しようとする課題】
【００１１】
しかし、このような上記従来の冷却構造を有する電子機器では、記録装置部品の記録容量増加及びダビングシステムなどによる発熱量増加やデジタル化などによるＩＣなど電子部品の発熱量が増加するために電子機器の薄型化が困難であるという問題があった。
【００１２】
本発明は、電子部品の配置により冷却効率のよい放熱構造を備えた電子機器を提供することを目的とする。
【課題を解決するための手段】
【００１３】
上記課題を解決するために、電子機器内部で発生した熱を効率良く外へ放熱することにより前記電子機器を冷却する冷却ファンと、前記冷却ファンの能力を発揮し、且つ電子機器の薄型化を図るために電子機器内発熱部品配置の工夫を図ると共に、前記電子機器の一部品であるチューナの筐体を用いて前記冷却ファンに向かう空気の流路を形成したものである。
【００１４】
より具体的には、情報及び映像データを記録するＨＤＤとＤＶＤドライブを有する電子機器において、電子機器に実装される各電子部品を駆動させる為の電源部、電子機器の筐体に内蔵されるチューナ、電子機器を冷却する冷却ファンが配置され、
前記電子部品の一部品であるチュ-ナの筐体を用いて、前記冷却ファンに向かう空気の流路が形成されることを特徴とする電子機器とした。
【００１５】
また、電子機器の筐体の前面側の中央にＤＶＤドライブが配置され、ＤＶＤドライブの左側または右側にＨＤＤが配置され、電子機器の筐体内部で前記ＨＤＤの奥側または下側に電子機器に実装される各電子部品を駆動させる為の電源部が配置され、前記電源部の奥側に電子機器を冷却する冷却ファンが配置され、ＤＶＤドライブよりも奥側で電子機器の筐体に内蔵されるチューナの筐体とを用いて、前記冷却ファンに向かう空気の流路が形成されることを特徴とする電子機器とした。
【００１６】
さらに、ＤＶＤドライブとチューナ筐体との間に隙間を有することにより、前記冷却ファンに向かう空気の流路が形成されるものとした。
【００１７】
さらに、前記電子機器は２個以上のチューナを有し、少なくとも1個のチューナは前記冷却ファンとは逆側の電子機器の筐体内で側面側に配置され、自然冷却によっても冷却されるものとした。
【００１８】
前記電子機器は、さらにＢ-ＣＡＳカードを配置するデジタル基板が電子機器の筐体内でＤＶＤドライブを介してＨＤＤとは相対する位置に配置され、前記デジタル基板とＨＤＤとの間の信号をやり取りするＡＴＡケ-ブルは信号線間にグランド線を配置されたものとした。
【発明の効果】
【００１９】
本発明によれば、電子部品の配置により冷却効率のよい放熱構造を備えた電子機器を提供することができる。
【発明を実施するための最良の形態】
【００２０】
図１は本発明の一実施例である冷却構造を有する電子機器の筐体内部の斜視図である。また、本実施例の電子機器はＨＤＤとＤＶＤドライブを内蔵したＨＤＤ−ＤＶＤレコーダーである。１は冷却ファンで、装置の筐体背面に面し筐体内部に設けられ、空気を吸入排出することにより空気の流れを発生させ冷却効果を高めるものである。特に広範囲にわたり冷却効果を高めるために吸い込み側の冷却ファン筐体の形状をいわゆるラッパ型にするとさらに有効である。
【００２１】
発熱する部品のうち回路部品はメイン基板８とデジタル基板７に実装されており、ヒートシンクなどで電子機器筐体に熱伝導性シートなどを介して直接熱をシャーシ１０に伝える場合もある。しかしながら地上波デジタル化、ハイビジョン化などによりさらに発生する熱は増加する傾向にあり、冷却ファン１での冷却等は不可欠である。
【００２２】
２はハードディスクドライブ（ＨＤＤ）、３はＤＶＤディスクが挿抜可能なＤＶＤドライブでいずれも記録容量増により発生する熱は増加する傾向にある。またハードディスクは起動時間がかかるために通常はディスクを常に回転待避して使用することで電子機器の使い勝手向上をはかっているために、発熱量も電子機器の電源ｏｎと同時に発生するものである。
【００２３】
４は電源で電子機器内部に実装された各電子部品を駆動させるものであり、これもハードディスク同様、電源ｏｎと同時に熱を発生するものである。そのため本実施例では冷却効果をより高めるためと薄型化を実現するために電子機器筐体内で上記電源４とＨＤＤ２は冷却ファン１の前方に配置した。電子機器前面から見ればＨＤＤ２の奥側または下側に電源４が配置され、さらに奥側に冷却ファン１を配置する。
【００２４】
さらにＤＶＤドライブ３もＨＤＤ２からのデータのダビング時などは発熱量が増加するために薄型化やデザイン等の問題から電子機器のほぼ中央に配し、冷却効果を持たせるためにＤＶＤドライブ３の奥側に配置したチュ−ナ５aを用いて冷却ファン１への風の流れを考慮した仕切りとしての効果を持たせてチュ−ナ５aを配置した。ＤＶＤドライブ３と仕切りとしてのチュ−ナ５a間にはデジタル基板７の冷却ファンによる冷却を可能とするために隙間をもたせた。なお、図１ではＤＶＤドライブ３の正面から向かって左にＨＤＤ２を配置し、右側にデジタル基板７を配置している。
【００２５】
さらにチュ−ナ５bおよび５cは自然冷却の効果を持たせるために電子機器筐体の冷却ファン１とは逆側の筐体側面側に配置し、自然冷却により冷却されることも可能なように考慮した。
【００２６】
薄型化の問題からＢ−ＣＡＳカード６はＨＤＤ２と合い対する位置であるデジタル基板７側に配置する。すなわちＤＶＤドライブ３を挟んでＨＤＤ２と装置全体の左右反対側に配置する。このためＨＤＤ２との信号伝達を目的とするＡＴＡケーブル９は長くなってしまい浮遊容量の増加などから信号波形がなまってしまうという恐れや外部信号外乱の問題が発生する。そのためにＡＴＡケーブル９の信号線間にＧＮＤ線を配置し、上記の問題発生に対策をはかった。
【００２７】
上記電子部品の具体的配置は装置全体及びブロック毎の自然空冷能力と冷却ファン１の風量から求められる装置全体の強制空冷の計算結果から配置した。自然冷却能力は単位体積あたりの電力をリッタ−電力密度（W/l）で表し、冷却ファン１の前のブロックはこの値を一番大きく配置した。
リッタ−電力密度（W/ｌ）＝消費電力（W）/筐体サイズ（縦*横*高さ）
強制空冷については、セット仕様消費電力が、装置サイズ、冷却ファン風量、冷却ファンの実効風量、許容温度上昇値及び放射率から求められる許容消費電力を上回らない条件とした。
許容消費電力（W）＝風量*許容温度上昇値*放射率
風量＝最大風量/実効値
また、計算で使用する冷却ファンの風量は冷却ファンの回転数によるもので、これは装置実装時の騒音に影響するため、実装時の騒音デ−タにより冷却ファン１の風量を計算した。また、冷却ファン１の選定には実効風量の大きい圧損に強いファンを選定した。
【００２８】
以上説明した実施例の構成では、電子機器内部で発生した熱を効率良く外へ放熱することにより前記電子機器を冷却する冷却ファン１と、冷却ファン１の能力を発揮し、且つ電子機器の薄型化を図るために電子機器内発熱部品配置による熱の放熱を図ると共に、前記電子機器の一部品であるチュ-ナ筐体５aを用いて冷却ファン１に向かう空気の流路を形成した電子機器の放熱構造としたものである。
【００２９】
さらに、電子機器を冷却する冷却ファン１の前面にはより発熱量の多い各電子機器に電源を供給する電源部、且つ情報及び映像デ−タを記録するＨＤＤ２を配置し、セットの中央にはＤＶＤドライブ３を配置し、ＤＶＤドライブ３との間に隙間を保ちながらチュ−ナ−５aの筐体を配置することにより、前記冷却ファンに向かう空気の流路を形成しものである。
【００３０】
さらに電子機器は２個以上のチュ−ナ−で構成され、少なくとも1個のチュ−ナ−を前記冷却ファン１とは逆側の筐体側面側に配置し、自然冷却により冷却されることも考慮した。
【００３１】
また、電子機器はＢ-ＣＡＳカ−ド６を配置するデジタル基板７を、ＨＤＤ２とはＤＶＤドライブ３を介して相対する位置に配置し、その間の信号をやり取りするＡＴＡケ-ブルは信号線間にグランド線を配置したことが特徴である。
【００３２】
以上に述べた本実施例によれば、容量アップや機能アップなどの高性能化や電子機器の薄型化による筐体内部の温度上昇に対して冷却ファンの回転数をアップするなどしなくても効率よく冷却することが可能なので、セット全体の騒音がうるさく顧客要求を満足できなくなることが無いために、電子機器の薄型化とＨＤＤのほかにＤＶＤレコ−ダ−やＶＴＲなど個々の記録の他にＨＤＤからのダビング等を目的とした電子部品を搭載する電子機器ではすべての発熱部品を仕様内まで冷却することができるようになる。
【図面の簡単な説明】
【００３３】
【図１】本発明の一実施例の電子機器内部の斜視図
【図２】本発明の一実施例の電子機器内部の配置図
【図３】電子機器内部の配置図
【符号の説明】
【００３４】
１…冷却ファン、  ２…ＨＤＤ（ハ−ドディスクドライブ）、  ３…ＤＶＤドライブ、
４…電源部、５ａ〜５ｃ.チューナ、  ６…Ｂ-ＣＡＳカ−ド、  ７…デジタル基板、
８…メイン基板、  ９…ＡＴＡケーブル、  １０…シャーシ、  １１…仕切り板。
【図１】
2006085399.tif 000003
【図２】
2006085399.tif 000004
【図３】
2006085399.tif 000005